(57)【要約】      （修正有）【課題】選別穴を形成した選別筒を回転し、内側に選別物を供給する選別装置では、小さい選別穴部分での選別は正確に行われるが、大きい選別穴部分での選別行程では、小さな選別物が選別筒の端口へ走り過ぎるように流れ出し、正確な選別作用を行うことができない。【解決手段】選別物を傾斜方向へ流しながら回転周面の選別穴（１）から漏出させて選別する選別筒（２）の内周面に穴径を小径から大径にわたっての選別域に形成し、選別物の走り過ぎを抑制する抑制螺旋（３）を形成した選別装置の構成とする。選別筒（２）に供給された選別物は、回転によって傾斜下端側へ流下され、流下速度が抑制螺旋（３）の抵抗を受けて抑制されながら選別穴（１）において漏下され、順次選別が行われ、小径の選別物は、抑制螺旋（３）の背面部によって受け止められて、走り過ぎが抑制されるため、この選別物の該当する選別穴径の選別穴（１）位置において的確に漏下選別される。【選択図】        図１
2007054814.tif 000002
【特許請求の範囲】
【請求項１】
回転しながら内部に供給された選別物を傾斜方向へ流しながら回転周面の選別穴（１）から外周へ漏出させて選別する選別筒（２）の内周面に、この選別穴（１）の穴径を該選別物の流れ方向に沿って小径から大径にわたって複数段階の選別域に形成すると共に、選別物の走り過ぎを抑制する抑制螺旋（３）を形成したことを特徴とする果実等の選別装置。
【請求項２】
前記選別筒（２）は、各選別域穴径毎の選別穴（１）を形成した各筒体（４）を、この穴径の順に一連に接合して一体回転するように構成したことを特徴とする請求項１に記載の果実等のドラム選別装置。
【請求項３】
前記選別筒（２）の始端部の抑制螺旋（３）は、略複数等配条に増配置した複数螺旋部５を形成したことを特徴とする請求項１、又は２に記載の果実等のドラム選別装置。
【発明の詳細な説明】
【技術分野】
【０００１】  この発明は、選別穴を有した選別筒を回転して、この選別筒の内側に比較的小さい果実等の選別物を供給して流しながら、該選別穴から漏下選別させる選別筒形態の選別装置に関するもので、正確な選別を行わせて、選別精度を高めるものである。この選別物としては、ブルーベリや、ミニトマト、ウメ、スモモ、タマネギ、ジャガイモ等の如き果実、野菜、芋類、豆類等の選別はもとより、アサリや、シジミ、ニマイガイ、カキのような魚貝類や、干物魚貝類等の選別にも利用でき、大きさ選別、乃至形状選別を行うものである。
【背景技術】
【０００２】  選別穴を形成した選別筒では、単一の選別筒の全長、及び全周にわたって一定径の選別穴が形成されたものである。又、ミカンのような比較的大きい選別物を対象とするものとしては、穴径の異なる選別穴を形成した複数の選別筒を回転方向へ、これら選別穴の小さい選別筒から、大きい選別筒の順に接近して並べて各々同じ方向へ回転させて、これら選別筒の回転外周面に選別物を載せて送り継ぎ搬送さながら、各選別筒内へ漏下選別させる選別形態の技術も知られている。
【発明の開示】
【発明が解決しようとする課題】
【０００３】  小径から大径の順次異なる穴径の選別穴を形成した単一の選別筒を回転して、この選別筒の内側に選別物を供給して外側へ漏下させながら選別する形態の選別装置では、小さい選別穴部分での初期行程の選別は比較的正確に行われ易いが、選別物の流れに従って選別が進んで大きい選別穴部分での選別行程に至ると、小さな選別物が本来漏下しなければならないはずの該当する穴径の選別穴では漏下しないで、そのまま選別筒の終端口へ走り過ぎるように流れ出してしまう、いわゆる走り過ぎを生じるようになり、正確な選別作用を行うことができない。
【課題を解決するための手段】
【０００４】  請求項１に記載の発明は、回転しながら内部に供給された選別物を傾斜方向へ流しながら回転周面の選別穴（１）から外周へ漏出させて選別する選別筒（２）の内周面に、この選別穴（１）の穴径を該選別物の流れ方向に沿って小径から大径にわたって複数段階の選別域に形成すると共に、選別物の走り過ぎを抑制する抑制螺旋（３）を形成したことを特徴とする果実等の選別装置の構成とする。この選別筒（２）の始端部に供給された選別物は、この回転によって傾斜下端側へ流下されされて、しかもこの流下速度が抑制螺旋（３）による抵抗を受けて抑制されながら、各選別域における穴径の選別穴（１）において漏下され、選別筒（２）終端から排出される間に、小径の選別物から大径の選別物にわたって順次複数段階級の選別が行われる。このように、選別筒（２）内を各選別穴（１）で漏下されない状態で流下しようとする小径の選別物は、抑制螺旋（３）の背面部によって受け止められて、走り過ぎが抑制されるため、この選別物の該当する選別穴径の選別穴（１）位置において的確に漏下選別される。【０００５】  請求項２に記載の発明は、前記選別筒（２）は、各選別域穴径毎の選別穴（１）を形成した各筒体（４）を、この穴径の順に一連に接合して一体回転するように構成したことを特徴とするものである。各筒体（４）は、所定選別域の穴径の選別穴（１）を形成すると共に、所定の長さ、及び回転径に形成されて、回転軸心方向には各穴径毎の複数の筒体（４）を一体的に連結されているため、全長として長い選別筒（２）の構成とすることができ、単一選別筒（２）によって複数の選別階級を設定し易くし、構成が簡単で、容易である。各筒体（４）相互間においては、選別穴（１）の穴径を異にしているため、選別物の選別階級を異にしている。又、短い単位長さの各筒体（４）の形成や、この内周部の仰制螺旋（３）の取付等も各別に行われる。【０００６】  請求項３に記載の発明は、前記選別筒（２）の始端部の抑制螺旋（３）は、略複数等配条に増配置した複数螺旋部５を形成したことを特徴とするものである。選別筒（２）の始端部に供給された選別物は、この選別筒（２）の回転によって傾斜下端側へ流下されるが、略複数等配条の複数螺旋部（５）によって複数等配に仕切られた形態で搬送を抑制されるため、選別物の偏流による堆積層厚を均等に薄くして分散した状態で選別回転させて、選別物の漏下選別を的確に行わせる。選別物がこの複数螺旋部（５）を過ぎるとこれよりも螺旋条数の少ない単一条等の抑制螺旋（３）部になるが、選別物の残量が少なくなるから、選別物の漏下選別も速やかに、的確に行われる。
【発明の効果】
【０００７】  請求項１に記載の発明は、選別筒（２）内を流下されながら小さい選別穴（１）から大きい選別穴（１）にわたって順次漏下選別される選別物は、抑制螺旋（３）によって流下速度、乃至走り過ぎを抑制されるため、各選別物の該当する穴径の選別穴（１）部から正確に漏下選別させることができる。又、この抑制螺旋３は選別筒２の内周面に形成されて一体として回転するため、選別物がこれら選別筒２及び抑制螺旋３と一体的に回転しながら流下搬送されるために、選別物をこれら選別筒２面と抑制螺旋３との間の間隙部に挾持したり、摩擦損傷するようなことは少なく、損傷のない選別を行うことができる。【０００８】  請求項２に記載の発明は、選別筒（２）は、短い各筒体（４）毎に各別の穴径の選別穴（１）が形成されていて、この各筒体（４）を接合して穴径の異なる選別穴（１）を形成の構成とするものであるから、この筒体（４）自体の成形はもとより、各筒体（４）内周面における抑制螺旋（２）の取付等を簡単、容易に行うことができる。各選別階級穴径の選別穴（１）毎に比較的短く形成された複数の筒体（４）を筒軸方向へ連結するため、各筒体（４）自体の構成はもとより、選別筒（２）全体の構成を簡単、容易にすることができ、選別筒（２）内における選別物の流れを抑制して、正確な選別を行わせることができる。【０００９】  請求項３に記載の発明は、選別筒（２）の始端部では選別物の供給量が多いため、内周面における回転寄り側への偏流による滞留量及び堆積量も多いが、これを抑制螺旋（３）の増加された複数螺旋部（５）によって、複数等配に仕切って拡散した状態にして、この拡散された部分の各選別物の流下を抑制するものであるから、この始端部における選別物の走り過ぎをなくすると共に、この複数条螺旋部（５）以降における選別物量の少なくなった部分での漏下選別は、少ない条数の抑制螺旋３によって流下速度を抑制して良好に行わせることができる。
【発明を実施するための最良の形態】
【００１０】  図面に基づいて、この発明に係る果実等の選別装置は、回転しながら内部に供給された選別物を傾斜方向へ流しながら回転周面の選別穴１から外周へ漏出させて選別する選別筒２の内周面に、この選別穴１の穴径を該選別物のながれ方向に沿って小径から大径にわたって複数段階の選別域に形成すると共に、選別物の走り過ぎを抑制する抑制螺旋３を形成した構成とする。この選別筒２の始端部に供給された選別物は、この回転によって傾斜下端側へ流下されされて、しかもこの流下速度は抑制螺旋３による抵抗を受けて抑制されながら、各選別域における穴径の選別穴１において漏下され、選別筒２終端から排出される間に、小径の選別物から大径の選別物にわたって順次複数段階級の選別が行われる。このように、選別筒２内を各選別穴１で漏下されない状態で流下しようとする小径の選別物は、抑制螺旋３の背面部によって受け止められて、走り過ぎが抑制されるため、この選別物の該当する選別穴径の選別穴１位置において的確に漏下選別される。【００１１】  前記選別筒２は、各選別域穴径毎の選別穴１を形成した各筒体４を、この穴径の順に一連に接合して一体回転するように構成したことを特徴とするものである。各筒体４は、所定選別域の穴径の選別穴１を形成すると共に、所定の長さ、及び回転径に形成されて、回転軸心方向には各穴径毎の複数の筒体４を一体的に連結されているため、全長として長い選別筒２の構成とすることができ、単一選別筒２によって複数の選別階級を設定し易くして、構成が簡単で、容易である。各筒体４相互間においては、選別穴１の穴径を異にしているため、選別物の選別階級を異にしている。又、短い単位の各筒体４の形成や、この内周部の抑制螺旋３の取付等も各別に行われる。【００１２】  前記選別筒２の始端部の抑制螺旋３は、略複数等配条に増配置した複数螺旋部５を形成したことを特徴とするものである。選別筒２の始端部に供給された選別物は、この選別筒２の回転によって傾斜下端側へ流下されるが、略複数等配条の複数螺旋部５によって複数等配に仕切られた形態で搬送を抑制されるため、選別物の偏流による堆積層厚を均等に薄くして分散した状態で選別回転させて、選別物の漏下選別を的確に行わせる。選別物がこの複数螺旋部５を過ぎるとこれよりも螺旋条数の少ない単一条等の抑制螺旋３になるが、選別物の残量が少なくなるから、選別物の漏下選別も速やかに、的確に行われる。【００１３】  前記選別筒２はステンレス製等により円筒形状に形成されて、筒周部には所定の穴径の選別穴１を一定間隔に形成する。この選別筒２の内周面には選別物の流下搬送を抑制する抑制螺旋３を溶接等により一体に形成する。この抑制螺旋３は、連続形態に形成しているが、途中で切断された不連続の断続形態に構成することもできる。又、この選別筒２の回転軸芯線Ｌを適宜角度Ｍに傾斜させて、回転によりこの内部に供給された選別物を傾斜下端部へ向けて転動流下させることができると共に、この選別物の流下を抑制螺旋３で受け止めて、選別物の走り過ぎを規制するように構成する。この抑制螺旋３の高さは選別物が容易に乗り越えできない程度に設定し、螺旋ピッチは、終始一定の形態とすることもできるが、選別筒２の傾斜角や、���別物の流下速度等に応じて、この選別物の流下に抵抗を与えるように設定する。図１では、選別筒２の始端部側では螺旋ピッチを大きくし、終端部側に至るに伴って小さく設定している。又、この始端部側には、図３のように半回転の位相をずらせて複数条に増加した複数螺旋部５に構成している。これらの抑制螺旋３の螺曲方向は回転により選別物を傾斜下端側へ搬送する方向と同方向であるが、この抑制螺旋３は選別物を押して搬送する働きは殆どなく、選別物が流下搬送されるのを螺旋背面部で受け止めるように、選別物自体の走りすぎを抑制しながら搬送させて、選別物の選別穴１への嵌合の機会を増加させる。即ち、抑制螺旋３の回転による螺曲移行速度は、選別筒２内での選別物の流下速度よりも遅く設定される形態である。又、この抑制螺旋３は選別筒２の内周面に形成されて一体として回転するため、選別物がこれら選別筒２及び抑制螺旋３と一体的に回転しながら流下搬送されるために、選別物をこれら選別筒２面と抑制螺旋３との間の間隙部に挾持したり、摩擦損傷するようなことは少なく、損傷のない選別を行うことができる。【００１４】  前記選別筒２は、図例では各々一定長さの四個の筒体４を回転軸方向へ沿って連結して剛体形態に構成している。各筒体４は、各々異なる各穴径毎の選別穴１を穿設した平板を円筒形態に湾曲成形して、この各筒体端縁６部を接合溶接して構成し、各別の筒体４を４Ａ、４Ｂ、４Ｃ、４Ｄとすれば、筒体４Ａの選別穴１の穴径をＡとし、筒体４Ｂ選別穴１の穴径をＢとし、又同様にして筒体４Ｃ、４Ｄの穴径を各々Ｃ、Ｄとして、これら各穴径をＡ＜Ｂ＜Ｃ＜Ｄの関係に形成される。又、これら各筒体４Ａ、４Ｂ、４Ｃ、４Ｄの内周面には各々該当するピッチＰ１、Ｐ２、Ｐ３、Ｐ４の前記抑制螺旋３を形成する。このように構成された各筒体４Ａ、４Ｂ、４Ｃ、４Ｄは、選別穴径Ａ、Ｂ、Ｃ、Ｄの順序に並べて各筒体４端縁６相互間を溶接により接合して一体に連結する。又、選別筒２の筒体４の数を、図例の他に三個、又は五個に設定することもできる。【００１５】  前記のように構成される選別筒２は、前後端部に軸装７されるを左右一対の支持ローラ８で受けて回転自在に支持する。各支持ローラ８は機台９に設けられる伝動モータ１０によって伝動駆動される。選別筒２内の選別物は、この選別筒２の回転によって回転寄り側へ付き周りされた状態で流下される偏流状態となるが、この選別筒２の外周下面部で選別物の偏流側寄りには、選別筒２の全長にわたる長さの押戻ローラ１２を回転自在に軸装している。この押戻ローラ１２は、塩化ビニール製のパイプをローラ軸１１として、この回転周部にスポンジローラを押戻ローラ１２として被覆嵌合した構成にしている。ローラ軸１１の前後両端は機台９に回転自在に軸支している。この押戻ローラ１２を選別筒２の外周面に接圧させて、この選別筒２の回転によって摩擦回転される。選別筒２の回転により選別穴１に嵌合した状態のままで付き周りしようとする選別物を、この押戻ローラ１２によって選別穴１の外側から内側へ押して外しながら選別筒２内へ戻すように構成する。選別筒２の下方には各筒体４Ａ、４Ｂ、４Ｃ、４Ｄによる選別階級別に漏下される選別物を受けるシュータ１３を配置している。該選別筒２の始端部には機台９に取付けた供給ホッパ１４がのぞませて設けられる。【００１６】  選別筒２を回転して始端部の供給ッホッパ１４から選別物を供給する。この供給された選別物は、選別筒２の傾斜回転によって順次傾斜下手側へ流下搬送されながら、各選別穴１からは小さな選別物から順次大きな選別物が漏下排出される。この選別筒２の始端部では選別物の供給量が多いため、選別物の流下速度は比較的低速であるが、選別が進むと選別物の残り量も減少するため、この流下速度が早くなると、前側の抑制螺旋３部に受け止められるようになって、この抑制螺旋３の回転による螺旋位相の移行よりも早くならないように流下速度が抑制されて、選別筒２の回転内周面部を偏流されながら適合の選別穴１から漏下選別される。該抑制螺旋３の螺旋ピッチを図１のように各筒体４Ａ、４Ｂ、４Ｃ、４Ｄ毎にピッチＰ１、Ｐ２、Ｐ３、Ｐ４の順に設定している形態では、この各ピッチＰ１、Ｐ２、Ｐ３、Ｐ４は流下方向にわたるに従って、順次小さピッチに形成されているため、選別物の残量の減少と、流下速度の増速とに対応して流下速度を順次遅くするように抑制する。このため、選別物は該当規格の選別穴１から正確に漏下されて、小さい選別物が大き過ぎる選別穴１から漏下したり、選別筒２の終端部まで走り過ぎて排出されることが少なくなる。【００１７】  又、図３においては、前記のように選別筒２の抑制螺旋３は終始一定の螺旋ピッチに形成し、この選別筒２の始端部側適宜間隔域において螺旋条を増加した形態の複数螺旋部５を形成ものであるが、これら抑制螺旋３は一条として全長にわたって形成して、始端部にのみ一条を増加して設けたものである。このため、複数螺旋部５は二条形態として形成されて半回転の位相をずらせて配置している。選別筒２の始端部では供給された選別物量が多く、選別滞留層も厚く形成されるが、該抑制螺旋３を複数螺旋部５として複数条に増条形成することによって、選別筒２の底部に滞留する選別物量を分散して薄層にして選別穴２からの漏下を行われ易くする。又、これら抑制螺旋３を二条形態に形成して、複数螺旋旋部５を三条形態に構成することもできる。【００１８】  次に、主として図４に基づいて、選別筒２を載頭円錐形態に構成したものである。この回転径の小さい側に小径の選別穴１を形成し、大きい側に大径の選別穴１を形成して、前記供給ホッパ１４を小径側端にのぞませている。この円錐形形態では選別筒２の回転中心に沿う選別筒軸芯線Ｌを略水平条に設定することができ、選別物はこの円錐形状の傾斜面Ｎに従って流下されながら選別される。
【図面の簡単な説明】
【００１９】
【図１】  選別筒部の側面図と、この一部の側断面図、正面図。
【図２】  その正面図。
【図３】  一部別実施例を示す選別筒部の側面図と、正断面図。
【図４】  一部別実施例を示す選別筒部の側面図。
【符号の説明】
【００２０】    １  選別穴
２  選別筒
３  抑制螺旋
４  筒体
５  複数螺旋
【図１】
2007054814.tif 000003
【図２】
2007054814.tif 000004
【図３】
2007054814.tif 000005
【図４】
2007054814.tif 000006